(57)【要約】【課題】コントローラによるシャットダウン処理終了後に装置の電源をオフするとき、コントローラの暴走により装置の電源をオフできなくなった場合でも装置の電源を確実にオフする。【解決手段】メインスイッチ４１がオンのとき、ＡＣ電源からの電力がメインスイッチ４１を通って電源回路４３に供給される。メインスイッチ４１がオフされると、検出信号１０１がコントローラ２に入力される。コントローラ２はスイッチ手段４２をオンするための制御信号１０２を出力する。ＡＣ電源からの電力はスイッチ手段４２を通って電源回路４３に供給される。コントローラ２はシャットダウン処理終了後にスイッチ手段４２をオフする。コントローラ２が暴走し、スイッチ手段４２をオフできなくなった場合は、ブレーカー４４をオフする。【選択図】図１
2010146367.tif 000002
【特許請求の範囲】
【請求項１】
ＡＣ電源からの給電を受けて負荷にＤＣ給電する電源回路と、前記ＡＣ電源から前記電源回路への給電経路に設けられたメインスイッチとしての第１のスイッチと、その第１のスイッチに並列接続された第２のスイッチと、その第２のスイッチをオン／オフ制御する制御手段とを有し、その制御手段は、前記第１のスイッチがオフされたとき、前記負荷に対する給電が必要か否かを判断し、不要な場合に前記第２のスイッチをオフに制御する電子機器において、
前記ＡＣ電源から前記第２のスイッチ経由で前記電源回路に至る給電経路を強制的に遮断する手段を有することを特徴とする電子機器。
【請求項２】
請求項１に記載された電子機器において、
前記強制的に遮断する手段は、前記ＡＣ電源と前記第２のスイッチとの間に接続された手動操作可能なスイッチであることを特徴とする電子機器。
【請求項３】
請求項２に記載された電子機器において、
前記手動操作可能なスイッチはブレーカーであることを特徴とする電子機器。
【請求項４】
ＡＣ電源からの給電を受けて負荷にＤＣ給電する電源回路と、前記ＡＣ電源から前記電源回路への給電経路に設けられたメインスイッチとしての第１のスイッチと、その第１のスイッチに並列接続された第２のスイッチと、その第２のスイッチをオン／オフ制御する制御手段とを有し、その制御手段は、前記第１のスイッチがオフされたとき、前記負荷に対する給電が必要か否かを判断し、不要な場合に前記第２のスイッチをオフに制御する電子機器において、
前記制御手段に内蔵されたウォッチドッグタイマーと、その出力を前記第２のスイッチをオフに制御する信号として前記第２のスイッチに供給する手段とを有することを特徴とする電子機器。
【請求項５】
ＡＣ電源からの給電を受けて負荷にＤＣ給電する電源回路と、前記ＡＣ電源から前記電源回路への給電経路に設けられたメインスイッチとしての第１のスイッチと、その第１のスイッチに並列接続された第２のスイッチと、その第２のスイッチをオン／オフ制御する制御手段とを有し、その制御手段は、前記第１のスイッチがオフされたとき、前記負荷に対する給電が必要か否かを判断し、不要な場合に前記第２のスイッチをオフに制御する電子機器において、
前記第２のスイッチを強制的にオフする手段を有することを特徴とする電子機器。
【請求項６】
請求項５に記載された電子機器において、
前記強制的にオフする手段は、手動操作可能なスイッチと、そのスイッチの出力を前記第２のスイッチをオフに制御する信号として前記第２のスイッチに供給する手段であることを特徴とする電子機器。
【請求項７】
請求項１〜６のいずれかに記載された電子機器において、
操作パネルと、操作パネルに表示する情報を作成する表示情報作成手段とを有し、その表示情報作成手段は、前記第１のスイッチがオフであり、前記第２のスイッチがオンに制御されているとき、給電継続状態であることを示す情報を作成することを特徴とする電子機器。
【請求項８】
請求項７に記載された電子機器において、
前記第１のスイッチがオフであり、第２のスイッチがオンに制御されているとき、給電継続状態であることを報知する音声を出力する手段を有することを特徴とする電子機器。
【請求項９】
請求項７に記載された電子機器において、
前記表示情報作成手段は、給電継続状態の維持又は給電停止をユーザに選択させるための情報を作成することを特徴とする電子機器。
【発明の詳細な説明】
【技術分野】
【０００１】
本発明は、メインスイッチがオフされたとき、給電が必要か否かを判断し、給電不要となった時点で電源をオフする制御手段を備えた電子機器に関する。
【背景技術】
【０００２】
コピー、ファクシミリ、プリンタ、スキャナーの機能を複合したデジタル複合機（ＭＦＰ）やサーバ／パーソナルコンピュータ等、電力を消費して稼働する電子機器は、ユーザが直接利用していない状態でも各種ソフトウェアがバックグラウンドで動作している。従って、誤って電源スイッチをオフしたり、電源コードを抜いたりした結果、突然、電力が供給されなくなると、必要なデータの不揮発メモリへの待避が行えず、次回の電源投入時に正常に起動できなくなる場合がある。
【０００３】
このような突然の電源オフによる不具合の回避が可能な画像形成装置として、ＡＣ電力を受けて、負荷にＤＣ給電する電源回路と、その電源回路とＡＣ電源との間に介挿されたメインスイッチと、前記電源回路とＡＣ電源との間に介挿された、制御信号に応答してオン／オフするスイッチ手段と、メインスイッチのオン／オフの状態を検出するスイッチ状態検出手段と、前記スイッチ手段を前記制御信号によりオン／オフ制御し、前記電源回路による負荷への給電の要／不要を管理し、要の場合に前記スイッチ状態検出手段の検出信号がメインスイッチのオンからオフに切り換わると、その後負荷への給電が不要になった時に前記スイッチ手段をオフにする、制御手段（コントローラ）とを備えた画像形成装置がある（特許文献１参照）。
【０００４】
しかし、この画像形成装置の場合、制御手段が暴走し、制御信号を出力できない状態になった場合、ユーザがメインスイッチをオフにしても、電源回路による負荷への給電が停止されないという問題がある。
【特許文献１】特開２００２−３１２０７５号公報
【発明の開示】
【発明が解決しようとする課題】
【０００５】
本発明は、このような問題を解決するためになされたものであり、その目的は、メインスイッチがオフされたとき、給電が必要か否かを判断し、給電不要となった時点で電源をオフする制御手段を備えた電子機器において、制御手段に異常が発生した場合でも確実に電源をオフできるようにすることである。
【課題を解決するための手段】
【０００６】
本発明の電子機器は、ＡＣ電源からの給電を受けて負荷にＤＣ給電する電源回路と、前記ＡＣ電源から前記電源回路への給電経路に設けられたメインスイッチとしての第１のスイッチと、その第１のスイッチに並列接続された第２のスイッチと、その第２のスイッチをオン／オフ制御する制御手段とを有し、その制御手段は、前記第１のスイッチがオフされたとき、前記負荷に対する給電が必要か否かを判断し、不要な場合に前記第２のスイッチをオフに制御する電子機器において、前記ＡＣ電源から前記第２のスイッチ経由で前記電源回路に至る給電経路を強制的に遮断する手段、又は前記制御手段に内蔵されたウォッチドッグタイマーと、その出力を前記第２のスイッチをオフに制御する信号として前記第２のスイッチに供給する手段、又は前記第２のスイッチを強制的にオフする手段を有することを特徴とする。
【０００７】
［作用］
本発明によれば、ＡＣ電源からの給電を受けて負荷にＤＣ給電する電源回路と、前記ＡＣ電源から前記電源回路への給電経路に設けられたメインスイッチとしての第１のスイッチと、その第１のスイッチに並列接続された第２のスイッチと、その第２のスイッチをオン／オフ制御する制御手段とを有し、その制御手段は、前記第１のスイッチがオフされたとき、前記負荷に対する給電が必要か否かを判断し、不要な場合に前記第２のスイッチをオフに制御する電子機器において、第１のスイッチがオフされ、負荷に対する給電が不要なときに、前記制御手段に異常が発生した場合、前記ＡＣ電源から前記第２のスイッチ経由で前記電源回路に至る給電経路を強制的に遮断する手段、又は前記制御手段に内蔵されたウォッチドッグタイマーと、その出力を前記第２のスイッチをオフに制御する信号として前記第２のスイッチに供給する手段、又は前記第２のスイッチを強制的にオフする手段により、前記ＡＣ電源から前記第２のスイッチ経由で前記電源回路に至る給電経路を遮断する。
【発明の効果】
【０００８】
本発明によれば、メインスイッチがオフされたとき、給電が必要か否かを判断し、給電不要となった時点で電源をオフする制御手段を備えた電子機器において、制御手段に異常が発生した場合でも確実に電源をオフすることができる。
【発明を実施するための最良の形態】
【０００９】
以下、本発明を実施するための最良の形態について図面を参照しながら説明する。
［第１の実施形態］
図１は、本発明の第１の実施形態の電子機器のブロック図である。この電子機器は画像形成装置である。
【００１０】
この画像形成装置１は、入力ポート（入力インタフェース）２１及び出力ポート（出力インタフェース）２２を有するコントローラ２と、エンジン３と、ＤＣ電源／ＡＣ制御板４を有する。コントローラ２は、この画像形成装置１全体の制御を行う。エンジン３は、用紙に画像を印刷するプリンタエンジン、原稿の画像を読み取るスキャナエンジンなどである。ＤＣ電源／ＡＣ制御板４は、ＡＣ電源から供給される電力をＤＣ電力に変換して、装置内の各部（ここではコントローラ２及びエンジン３）に供給するための回路を実装した基板（ボード）である。
【００１１】
ＤＣ電源／ＡＣ制御板４は、メインスイッチ４１、リレードライバ４２ａ及びリレー４２ｂからなるスイッチ手段４２、電源回路４３、及びブレーカー４４を有する。
【００１２】
ブレーカー４４の一端はＡＣ電源からの電源ラインに接続されており、他端はメインスイッチ４１の一端（入力側）及びリレー４２ｂの一端（入力側）に接続されている。ブレーカー４４は、ユーザが手動で開閉（オン／オフ）させることができ、閉じているときは、ＡＣ電源と、メインスイッチ４１及びリレー４２ｂのそれぞれの入力側とが電源ラインにより接続される。
【００１３】
メインスイッチ４１は、ユーザの投入／遮断操作により連動して開閉（オン／オフ）される２個の開閉接点を備えており、その内の一つ、即ちブレーカー４４を通してＡＣ電力が入力される開閉接点（ＡＣ開閉接点）に対応する固定接点（ＡＣ給電接点）Ｘ２は電源ラインにより電源回路４３の入力側に接続され、他の一つ、即ちグランド（ＧＮＤ）に接続された開閉接点（ＤＣ開閉接点）に対応する固定接点（低電圧ＤＣ接点）Ｘ１は信号ラインによりコントローラ２の入力ポート２１に接続されている。
【００１４】
従って、ブレーカー４４がオン（閉）のとき、メインスイッチ４１をオン（接点が閉）すると、ＡＣ電源からの電力がメインスイッチ４１を通って電源回路４３に供給される。また、低電圧固定接点Ｘ１の状態（グランド電位＝０）が、コントローラ２の入力ポート２１に入力される。一方、メインスイッチ４１をオフ（接点が開）にすると、電源回路４３にはＡＣ電力は供給されない。さらに、低電圧固定接点Ｘ１の状態（相対的に高電位）が、コントローラ２の入力ポート２１に入力される。つまり、入力ポート２１には、メインスイッチ４１のオン／オフ状態の検出信号１０１が入力される。即ち、ＤＣ開閉接点からの信号の"Low"がメインスイッチ４１の"オン（閉）"を、"High"がメインスイッチ４１の"オフ（開）"を意味する検出信号１０１としてコントローラ２の入力ポート２１に与えられる。
【００１５】
リレー４２ｂの他端（出力側）は電源回路４３の入力側に接続されている。従って、ブレーカー４４がオンのとき、リレー４２ｂをオンすると、ＡＣ電源からの電力がリレー４２ｂを通って電源回路４３に供給される。一方、リレー４２ｂをオフ（接点が開）にすると、電源回路４３にはＡＣ電源からの電力は供給されない。リレー４２ｂのオン／オフは、リレードライバ４２ａが、コントローラ２の出力ポート２２から供給される制御信号１０２を受け、そのレベル（“High”又は“Low”）に応じて制御する。制御信号１０２の詳細については後述する。
【００１６】
コントローラ２は、エンジン３を制御するとともに、その状態を監視することで、電源回路４３による給電の要／不要を判断し、要の場合にはメインスイッチ４１より出力される検出信号１０１からメインスイッチ４１のオン／オフ状態を検出し、オフを検出後、エンジン３及びコントローラ２への給電が不要になった時点で制御信号１０２によりスイッチ手段４２のリレー４２ｂをオフする。
【００１７】
初めに、画像形成装置１を動作させる目的でユーザがメインスイッチ４１をオンすることで、接点が閉状態になったときの動作を説明する。
メインスイッチ４１の接点が閉状態になると、電源回路４３にはＡＣ電圧が入力される。電源回路４３は、ＡＣ電圧をエンジン３とコントローラ２のそれぞれの動作に必要な所定レベルのＤＣ電圧に変換してそれぞれに供給する。これにより、エンジン３とコントローラ２は動作可能状態になり、画像形成装置１は所定の動作を行う。
【００１８】
このとき、メインスイッチ４１のオン／オフ状態を示す検出信号１０１は“Low”であるため、メインスイッチ４１がオン（閉）状態であることがコントローラ２に通知される。コントローラ２は電源回路４３からのＤＣ給電開始からスイッチ手段４２には制御信号１０２を出力せず、スイッチ手段４２はオフ（開）状態を保つ。このため、スイッチ手段４２を介しての電源回路４３へのＡＣ給電は無く、メインスイッチ４１がオンの間のエネルギー損失は少ない。
【００１９】
次に、ユーザがメインスイッチ４１をオフして接点がオフ（開）状態になったときの動作を説明する。
メインスイッチ４１の接点が開状態になると、電源回路４３へのＡＣ給電が遮断される。このため、電源回路４３のＤＣ出力電圧は、電源回路４３内の入出力のコンデンサ容量による保持時間を経た後、消失する。メインスイッチ４１のオン／オフ状態を示す検出信号１０１は“High”となるため、直ちにメインスイッチ４１が開状態であることがコントローラ２へ通知される。従って、コントローラ２は電源回路４３のＤＣ電圧保持時間中にメインスイッチ４１がオフであることを通知される。
【００２０】
コントローラ２はスイッチ手段４２に制御信号１０２を、オフ指示のもの（”Low“）からオン指示のもの（“High“）に切り換えてリレー４２ｂの接点をオン（閉）状態とし、電源回路４３へＡＣ給電を開始させる。このため電源回路４３は、再度、ＡＣからＤＣへの変換を始め、電源回路４３のＤＣ出力電圧の保持時間が経過する前にエンジン３とコントローラ２へのＤＣ給電を始めるため、通常のシャットダウン処理が可能となり、それが終了した時点で終了処理（シャットダウン処理）を行うと共にスイッチ手段４２への制御信号１０２を、オン指示のもの（“High“）からオフ指示のもの（”Low“）に切り換えるので、リレー４２ｂが遮断される。この結果、スイッチ手段４２を通した電源回路４３へのＡＣ給電が遮断され、電源回路４３のＤＣ電圧保持時間を経た後に、電源回路４３のＤＣ出力が消失する。
【００２１】
一方、画像形成装置１がジョブを実行中の場合は、スイッチ手段４２に制御信号１０２を出力してリレー４２ｂの接点をオン（閉）状態とし、電源回路４３へＡＣ給電を開始させる。このため電源回路４３は、再度、ＡＣからＤＣへの変換を始め、電源回路４３のＤＣ出力電圧の保持時間が経過する前にエンジン３とコントローラ２へのＤＣ給電を始めるため、画像形成装置１の動作は中断されず、実行中だったジョブを完了させることができる。
【００２２】
コントローラ２は、このジョブが正常に完了した時点で終了処理（シャットダウン処理）を行うと共にスイッチ手段４２への制御信号１０２を、オン指示のもの（“High“）からオフ指示のもの（”Low“）に切り換えるので、リレー４２ｂが遮断される。この結果、スイッチ手段４２を通した電源回路４３へのＡＣ給電が遮断され、電源回路４３のＤＣ電圧保持時間を経た後に、電源回路４３のＤＣ出力が消失する。
【００２３】
このような電源制御を、図２および図３を参照しながら、さらに詳細に説明する。図２は画像形成装置１のメインスイッチ４１をオンした後、待機中にオフした場合の各部の状態を示すタイミング図であり、図３は画像形成装置１のメインスイッチ４１をオンした後、ジョブ実行中にオフした場合の各部の状態を示すタイミング図である。
【００２４】
これらの図において、Ａはメインスイッチ４１のオン／オフの状態を示す。また、Ｂはメインスイッチ４１のオン／オフ状態の検出信号１０１であり、"Low"がオンを、High"がオフを示す。さらに、Ｃは電源回路４３へのＡＣ給電状態を示す。また、Ｄはスイッチ手段４２のオン／オフの制御信号１０２であり、"High"がオンを、"Low"がオフを示す。また、Ｅは電源回路４３のＤＣ出力を示し、ｔ1〜ｔ5はタイミングを示す。
【００２５】
最初に、図２を参照しながら、メインスイッチ４１をオンした後、待機中にオフした場合について説明する。
ユーザがタイミングｔ1でメインスイッチ４１をオンすると、電源回路４３に対するＡＣ電力の供給が始まる。電源回路４３はタイミングｔ2から、コントローラ２及びエンジン３に対するＤＣ出力を開始し、コントローラ２は起動処理を開始する。起動処理終了後のタイミングｔ3で、メインスイッチ４１のオン／オフ検出信号１０１（図のＢ）が"Low（オン）"なので、コントローラ２か出力される制御信号１０２（図のＤ）は"Low（オフ）"となり、スイッチ手段４２から電源回路４３へのＡＣ給電はない。
【００２６】
次いで、ユーザがタイミングｔ4でメインスイッチ４１をオフとすると、電源回路４３へのＡＣ電源（図のＣ）が遮断される。また、メインスイッチ４１をオフしたタイミングｔ4と同期して、「メインスイッチ４１のオン／オフ状態の検出信号１０１（図のＢ）が"high（オフ）"」→「コントローラ２から出力される制御信号１０２（図のＤ）が"High（オン）"」となり、スイッチ手段４２から電源回路４３へのＡＣ給電（図のＣ）が行われることにより、メインスイッチ４１経由の電源回路４３へのＡＣ給電が一瞬落ちるが、電源回路４３のＤＣ出力保持時間が経過する前にスイッチ手段４２経由で再度ＡＣ給電されるので、エンジン３とコントローラ２へ電源回路４３の出力（図のＥ）は落ちることなく継続して供給される。
【００２７】
さらに、メインスイッチ４１をオフしたタイミングｔ4で、コントローラ２は自身及びエンジン３の動作状態を調べ、その結果が待機状態なので、すぐにシャットダウン処理を開始する。そして、シャットダウン処理が終了すると、制御信号１０２（図のＤ）を"Low（オフ）"することで、スイッチ手段４２から電源回路４３へのＡＣ給電（図のＣ）を遮断する。この結果、エンジン３とコントローラ２への電源回路４３のＤＣ出力もオフとなり、電源オフ状態となる。
【００２８】
次に、図３を参照しながら、メインスイッチ４１をオンした後、ジョブ実行中にオフした場合の各部の状態について説明する。ここで、メインスイッチ４１をオンしてから、オフするまでの各部の状態は図２と同じである。
【００２９】
コントローラ２は、メインスイッチ４１がオフになったタイミングｔ4で自身及びエンジン３の動作状態を調べ、その結果、ジョブ実行中であることを確認すると、ジョブを継続し、ジョブ終了後にシャットダウン処理を開始する。以降の処理も図２の同様である。
【００３０】
次に、ユーザがメインスイッチ４１をオフした後にコントローラ２が暴走し、電源が切れない状態となり、ブレーカー４４により強制的に電源をオフする場合の動作について、図４のタイミング図を参照しながら説明する。ここで、ユーザがメインスイッチ４１をオフし、コントローラ２がシャットダウン処理を開始するまでは図２と同様なので説明を省略する。
【００３１】
図２及び図３に示したように、本来シャットダウン処理終了後は制御信号１０２（図のＤ）を"Low（オフ）"することでスイッチ手段４２から電源回路４３へのＡＣ給電を遮断する。ところが、シャットダウン処理開始後にコントローラ２が暴走すると、制御信号１０２が"Low（オフ）"にならないため、スイッチ手段４２から電源回路４３へのＡＣ給電を遮断できず、電源が切れない状態になってしまう。
【００３２】
そこで、本実施形態では、ユーザがブレーカー４４をオフすることで、スイッチ手段４２へのＡＣ入力を遮断することで、スイッチ手段４２から電源回路へ４３へのＡＣ給電を遮断する。この結果、電源回路４３からエンジン３とコントローラ２に対するＤＣ出力（図のＥ）もオフとなり、電源オフ状態となる。
【００３３】
このように、本発明の第１の実施形態の画像形成装置によれば、コントローラ２が暴走し、コントローラ２の制御により装置の電源を切れなくなっても、ブレーカー４４により強制的に電源を切れるため、コントローラ２が暴走した場合でも確実に電源を切ることができる。
【００３４】
［第２の実施形態］
図５は、本発明の第２の実施形態の画像形成装置のブロック図である。この図において、図１（第１の実施形態）と同一又は対応する部分には図１と同じ参照符号を付した。
【００３５】
本実施形態の画像形成装置は、第１の実施形態の画像形成装置（図１）からブレーカー４４を除去し、コントローラ２内にウォッチドッグタイマー（Watch Dog Timer）２３を設けるとともに、ウォッチドッグタイマー２３の出力を出力ポート２２からの制御信号１０２の信号ラインにワイヤードＯＲで接続したものである。
【００３６】
図６は本実施形態の画像形成装置１のメインスイッチ４１をオンした後、待機中にオフし、シャットダウン処理開始後にコントローラ２が暴走した場合の各部の状態を示すタイミング図である。この図において、ユーザがメインスイッチ４１をオフし、コントローラ２がシャットダウン処理を開始するまでは図２と同様である。
【００３７】
図４を参照しながら前述したように、シャットダウン処理開始後にコントローラ２が暴走すると、制御信号１０２が"Low（オフ）"にならないため、スイッチ手段４２から電源回路４３へのＡＣ給電を遮断できず、電源が切れない状態になってしまう。本実施形態では、コントローラ２が暴走すると、ウォッチドッグタイマー２３がセットされなくなることで、その出力（図６のＧ）が“Low”となり、リレー４２ａに供給される。この結果、リレー４２ｂが遮断されるため、スイッチ手段４２を通した電源回路４３へのＡＣ給電が遮断され、電源回路４３からエンジン３とコントローラ２へのＤＣ出力（図のＥ）はオフとなり、装置は電源オフ状態となる。
【００３８】
このように、本発明の第２の実施形態の画像形成装置によれば、コントローラ２が暴走し、コントローラ２からの制御信号１０２によりスイッチ手段４２をオフできなくなっても、ウォッチドッグタイマー２３の出力によりオフできるため、ハード的なコストアップ無しで、コントローラ２が暴走した場合でも確実に電源を切ることができる。
【００３９】
［第３の実施形態］
図７は本発明の第３の実施形態の画像形成装置のブロック図である。この図において、図１と同一又は対応する部分には図１と同じ参照符号を付した。
【００４０】
本実施形態の画像形成装置は、第１の実施形態の画像形成装置（図１）からブレーカー４４を除去するとともに、ＤＣ電源／ＡＣ制御板４上のリレードライバ４２ａの入力を手動により強制的に接地することのできる補助スイッチ４５をＤＣ／ＡＣ制御板４上の制御信号１０２の信号ラインにワイヤードＯＲで接続したものである。
【００４１】
図８は本実施形態の画像形成装置１のメインスイッチ４１をオンした後、待機中にオフし、シャットダウン処理開始後にコントローラ２が暴走した場合の各部の状態を示すタイミング図である。この図において、ユーザがメインスイッチ４１をオフし、コントローラ２がシャットダウン処理を開始するまでは図２と同様である。
【００４２】
前述したように、シャットダウン処理開始後にコントローラ２が暴走すると、制御信号１０２が"Low（オフ）"にならないため、スイッチ手段４２から電源回路４３へのＡＣ給電を遮断できず、電源が切れない状態になってしまう。本実施形態では、補助スイッチ４５をオンすることにより、リレードライバ４２ａの入力信号レベルを“Low”にしてリレー４２ｂを遮断させて、スイッチ手段４２経由で電源回路４３へ至るＡＣ給電を遮断する。この結果、電源回路４３からエンジン３とコントローラ２へＤＣ出力もオフとなり、装置は電源オフ状態となる。
【００４３】
このように、本発明の第３の実施形態の画像形成装置によれば、コントローラ２が暴走し、コントローラ２からの制御信号１０２によりスイッチ手段４２をオフできなくなっても、補助スイッチ４５により強制的にオフできるため、大きなコストアップ無しで、コントローラ２が暴走した場合でも確実に電源を切ることができる。
【００４４】
［第４の実施形態］
図９は本発明の第４の実施形態の画像形成装置のブロック図である。この図において、図７（第３の実施形態）と同一又は対応する部分には図７と同じ参照符号を付した。
【００４５】
本実施形態の画像形成装置は、第３の実施形態の画像形成装置のコントローラ２に操作パネル５を接続したものである。操作パネル５は、ユーザに装置の状態を知らせたり、ユーザが装置の設定を入力したりするために使用される。
【００４６】
本実施形態の画像形成装置において、ユーザがメインスイッチ４１をオンしてからオフするまでの各部の状態は第３の実施形態（図８）と同じである。メインスイッチ４１をオフしてからの状態は、操作パネル５に対する処理が付加されたことが相違する。
【００４７】
図１０は、本実施形態の画像形成装置において、メインスイッチ４１がオフされてから装置の電源がオフになるまでの動作のフロー図である。
メインスイッチ４１がオフされると（ステップＳ１）、メインスイッチ４１のオン／オフ状態を示す検出信号１０１がオフ"High"となり（ステップＳ２）、スイッチ手段４２をオン／オフ制御する制御信号１０２がオン"High"となる（ステップＳ３）。
【００４８】
スイッチ手段４２から電源回路４３へＡＣ給電が開始されることにより、メインスイッチ４１経由の電源回路４３へのＡＣ給電が一瞬落ちても、電源回路４３のＤＣ出力保持時間が経過する前にスイッチ手段４２経由で再度ＡＣ給電が始まるので、エンジン３とコントローラ２へＤＣ給電は落ちることなく継続されるので、給電継続状態であることを操作パネル５に表示する（ステップＳ４）。
【００４９】
次いでジョブの有無を判断し（ステップＳ５）、ジョブがある場合にはジョブの終了後、ジョブがない場合にはすぐにシャットダウン処理を開始する（ステップＳ６）。
【００５０】
次にシャットダウン処理が完了したかどうか判断し（ステップＳ７）、完了後に制御信号１０２をオフ"Low"とする（ステップＳ８）。これにより、スイッチ手段４２から電源回路４３へのＡＣ給電が遮断されるため、電源回路４３からエンジン３とコントローラ２へのＤＣ出力もオフとなり、装置は電源オフ状態となる（ステップＳ９）。
【００５１】
本発明の第４の実施形態によれば、ユーザは、メインスイッチ４１の状態を確認しなくても、操作パネル５の表示を見ることで、通常の状態なのか、メインスイッチ４１がオフされた後の給電継続状態なのかを判別することができる。
【００５２】
［第５の実施形態］
本発明の第５の実施形態の画像形成装置のブロック図は第４の実施形態（図９）と同じである。本実施形態では、ユーザによりメインスイッチ４１がオフされたとき、操作パネル５に給電継続状態であることが表示した後、ジョブが無い場合に給電継続状態を維持するか又はシャットダウン処理に移行するかの選択させる画面を表示し、ユーザの選択指令に応じた処理を行う点が第４の実施形態との相違点である。
【００５３】
図１１は、本実施形態の画像形成装置において、メインスイッチ４１がオフされてから装置の電源がオフになるまでの動作のフロー図である。この図において、図１０（第４の実施形態）と同一又は対応するステップには図１０と同じ参照符号を付した。
【００５４】
図１１に示すように、メインスイッチ４１のオフ（ステップＳ１）からジョブの有無を判断する（ステップＳ５）までは第４の実施形態と同じである。ステップＳ５でジョブが無いと判断したとき（Ｓ５：No）、即ち、ユーザがメインスイッチ４１をオフした時点で装置が待機中であった場合、又はユーザがメインスイッチ４１をオフした時点でジョブがあった場合はそれが完了したとき、操作パネル５上に“給電継続”か“シャットダウン”かの選択画面を表示し（ステップＳ１０）、ユーザが操作パネル５上で処理を選択する（ステップＳ１１）。
【００５５】
ユーザが“給電継続”を選択した場合には（ステップＳ１２：No）、ユーザが操作パネル５の選択画面上で“シャットダウン”を選択するまで給電を継続する。 “シャットダウン”を選択した場合（ステップＳ１２：Yes）の処理は第４の実施形態と同じである。
【００５６】
本発明の第５の実施形態によれば、メインスイッチ４１をオフした後、必要な処理が完了した後も給電継続状態を維持でき、かつ所望のタイミングで電源を切ることができる。
【００５７】
［第６の実施形態］
本発明の第６の実施形態の画像形成装置のブロック図は第４の実施形態（図９）と同じである。また、本実施形態の画像形成装置において、メインスイッチ４１がオフされてから装置の電源がオフになるまでの動作のフローは第５の実施形態（図１１）とほぼ同じであり、操作パネル５に給電継続状態であることが表示しているとき、操作パネル５上のブザーを鳴らすことが第５の実施形態と相違する。
【００５８】
図１２は、本実施形態の画像形成装置において、メインスイッチ４１がオフされてから装置の電源がオフになるまでの動作のフロー図である。この図において、図１１（第５の実施形態）と同一又は対応するステップには図１１と同じ参照符号を付した。
【００５９】
図１２に示すように、メインスイッチ４１のオフ（ステップＳ１）から操作パネル５に給電継続状態であることを表示する（ステップＳ４）までは第５の実施形態と同じである。本実施形態では、ステップＳ４を実行して操作パネル５に給電継続状態を表示しているとき、次のステップＳ１３で操作パネル５上のブザーを鳴らす処理を追加した。以後の処理は第５の実施形態と同じである。
【００６０】
本発明の第６の実施形態によれば、例えば、装置管理者は装置から少し離れた場所にいたときに、第三者が故意または誤ってメインスイッチ４１をオフしたことを確実に気付くことができる。
【００６１】
［第７の実施形態］
本発明の第７の実施形態の画像形成装置のブロック図は第４の実施形態（図９）と同じである。また、本実施形態の画像形成装置において、メインスイッチ４１がオフされてから装置の電源がオフになるまでの動作のフローは第６の実施形態（図１２）とほぼ同じであり、ユーザが操作パネル５上で“給電継続”を選択した場合に操作パネル５上のブザーを停止させることが第６の実施形態と相違する。
【００６２】
図１３は、本実施形態の画像形成装置において、メインスイッチ４１がオフされてから装置の電源がオフになるまでの動作のフロー図である。この図において、図１２（第６の実施形態）と同一又は対応するステップには図１１と同じ参照符号を付した。
【００６３】
図１３に示すように、メインスイッチ４１のオフ（ステップＳ１）から操作パネル５上でユーザがシャットダウン処理を選択したかどうか判断する（ステップＳ１２）までは第６の実施形態と同じである。本実施形態では、“給電継続”を選択したと判断した場合（Ｓ１２：No）には、ブザーを停止し（ステップＳ１４）、操作パネル５の選択画面上で“シャットダウン”を選択するまで給電を継続する。シャットダウンを選択した場合の以後の処理は第６の実施形態と同じであるため、説明を省略する。
【００６４】
本発明の第７の実施形態によれば、ユーザが“給電継続状態を継続する”処理を選択した場合にはブザー音がなくなるので、オフィス等静かな環境でも安心して使用することができる。
【図面の簡単な説明】
【００６５】
【図１】本発明の第１の実施形態の画像形成装置のブロック図である。
【図２】本発明の第１の実施形態の画像形成装置において、メインスイッチをオンした後、待機中にオフした場合の各部の状態を示すタイミング図である。
【図３】本発明の第１の実施形態の画像形成装置において、メインスイッチをオンした後、ジョブ実行中にオフした場合の各部の状態を示すタイミング図である。
【図４】本発明の第１の実施形態の画像形成装置において、ユーザがメインスイッチをオフした後にコントローラが暴走し、電源が切れない状態となり、ブレーカーにより強制的に電源をオフする場合の動作を示すタイミング図である。
【図５】本発明の第２の実施形態の画像形成装置のブロック図である。
【図６】本発明の第２の実施形態の画像形成装置において、メインスイッチをオンした後、待機中にオフし、シャットダウン処理開始後にコントローラが暴走した場合の各部の状態を示すタイミング図である。
【図７】本発明の第３の実施形態の画像形成装置のブロック図である。
【図８】本発明の第３の実施形態の画像形成装置において、メインスイッチをオンした後、待機中にオフし、シャットダウン処理開始後にコントローラが暴走した場合の各部の状態を示すタイミング図である。
【図９】本発明の第４の実施形態の画像形成装置のブロック図である。
【図１０】本発明の第４の実施形態の画像形成装置において、メインスイッチがオフされてから装置の電源がオフになるまでの動作のフロー図である。
【図１１】本発明の第５の実施形態の画像形成装置において、メインスイッチがオフされてから装置の電源がオフになるまでの動作のフロー図である。
【図１２】本発明の第６の実施形態の画像形成装置において、メインスイッチがオフされてから装置の電源がオフになるまでの動作のフロー図である。
【図１３】本発明の第７の実施形態の画像形成装置において、メインスイッチがオフされてから装置の電源がオフになるまでの動作のフロー図である。
【符号の説明】
【００６６】
１・・・画像形成装置、２・・・コントローラ、３・・・エンジン、４・・・ＤＣ電源／ＡＣ制御板、５・・・操作パネル、２２・・・ウォッチドッグタイマー、４１・・・メインスイッチ、４２・・・スイッチ手段、４３・・・電源回路、４４・・・ブレーカー、４５・・・補助スイッチ、１０１・・・メインスイッチのオン／オフ状態の検出信号、１０２・・・スイッチ手段のオン／オフの制御信号。
【図１】
2010146367.tif 000003
【図２】
2010146367.tif 000004
【図３】
2010146367.tif 000005
【図４】
2010146367.tif 000006
【図５】
2010146367.tif 000007
【図６】
2010146367.tif 000008
【図７】
2010146367.tif 000009
【図８】
2010146367.tif 000010
【図９】
2010146367.tif 000011
【図１０】
2010146367.tif 000012
【図１１】
2010146367.tif 000013
【図１２】
2010146367.tif 000014
【図１３】
2010146367.tif 000015